(57)【要約】【課題】シートカバー使用者が好みの外観を得るとともに、挿着部に被挿着部材を確実に保持するシートカバーを提供することを目的とする。【解決手段】座席シート２０の背もたれ部２１を覆うように倒立の袋状に形成されたカバー体１０に、カバー体１０を構成するカバー材の一部を開口するような窓部１１と、該窓部１１に位置するように挿着される被挿着部材３０と、カバー体１０の内側において被挿着部材３０を保持する挿着部１３とを備えたシートカバー１である。カバー体１０に窓部１１及び挿着部１３を備えことによって、被挿着部材３０を挿着部１３に確実に保持することができるとともに、シートカバー１を好みの外観に変更することができる。さらに、シートカバー１は、挿着部１３に被挿着部材３０を挿着する際に両面テープや接着剤などを使用しないため、カバー体１０を変更することなく他の被挿着部材と容易に差し替えることができる。【選択図】  図１
2014223865.tif 000002
【特許請求の範囲】
【請求項１】
座席シートを覆うカバー体を備えたシートカバーであって、
前記カバー体に形成した窓部と、
該窓部に位置するように挿着される被挿着部材と、
前記シートカバーの内側において被挿着部材を保持する挿着部とを備えた
シートカバー。
【請求項２】
前記窓部を、透明な材質で形成した閉鎖部材で閉鎖した
請求項１に記載のシートカバー。
【請求項３】
前記被挿着部材より剛性が高い素材を前記挿着部と略同一の形状に形成し、
前記被挿着部材とともに前記挿着部へ挿着される挿着補助部材を備えた
請求項１又は２に記載のシートカバー。
【請求項４】
前記被挿着部材の挿着を許容する前記挿着部の挿入口に、前記被挿着部材の挿着状態を保持する保持手段を備えた
請求項１から３のいずれか一項に記載のシートカバー。
【発明の詳細な説明】
【技術分野】
【０００１】
この発明は、例えば、自動車の座席シートに装着するシートカバーに関する。
【背景技術】
【０００２】
自動車などの座席シートを汚れなどから保護するために様々なシートカバーが考案されている。そして、シートカバー使用者は、該シートカバーに好みのデザインを求めることが多い。  
しかし、販売されているシートカバーの種類には限りがあるという問題があった。
【０００３】
そこで、特許文献１に記載のシートカバーが提案されている。  
特許文献１に記載のシートカバーは、変更部材といわれる被挿着部材をシートカバーの外面に固定することでシートカバー使用者の好みの外観を得ることができる。被挿着部材は、シートカバーの外面と異なる外面構成を有しており、シートカバー使用者の好みの色、模様、あるいは材質などで形成して、両面テープや接着剤などでシートカバーの外面に固定したり、シートカバーに挿入可能な挿入部分といわれる挿着部に横方向から挿入したりする。
【０００４】
しかし、被挿着部材を両面テープや接着剤などでシートカバーに固定する場合は、座席シートに座ることを繰り返すことで被挿着部材が剥がれるおそれがある。被挿着部材をシートカバーの挿着部に横方向から挿入する場合は、座席シートに座ることを繰り返すことで被挿着部材がずれたり、ずれ落ちたりするおそれがある。つまり、挿着部に被挿着部材を確実に保持することができない。
【先行技術文献】
【特許文献】
【０００５】
【特許文献１】特開２０１３−０００４８７号公報
【発明の概要】
【発明が解決しようとする課題】
【０００６】
そこで本発明は、シートカバー使用者が好みの外観を得るとともに、挿着部に被挿着部材を確実に保持するシートカバーを提供することを目的とする。
【課題を解決するための手段】
【０００７】
この発明は、座席シートを覆うカバー体を備えたシートカバーであって、前記カバー体に形成した窓部と、該窓部に位置するように挿着される被挿着部材と、前記シートカバーの内側において被挿着部材を保持する挿着部とを備えたシートカバーである。  
上記の被挿着部材は、適宜の基材で形成した情報表示体や装飾体を含むものである。
【０００８】
この発明により、シートカバー使用者は、好みの被挿着部材をカバー体の挿着部に挿着することによって、シートカバーを好みの外観にすることができる。さらに、窓部から被挿着部材に触れることで、外観のみならず質感を楽しむことができる。
【０００９】
そして、デザインの異なる被挿着部材を差し替えるだけで、シートカバーを替えることなく、多彩な外観あるいは多様な質感を楽しむことができる。被挿着部材は、両面テープや接着剤などを使用することなく挿着部に挿着して、保持されるため、挿着部から外しても再び使用することができる。
【００１０】
この発明の態様として、前記窓部を、透明な材質で形成した閉鎖部材で閉鎖することができる。  
この発明により、窓部を補強することができる。詳しくは、カバー体に窓部を備えたことによって、カバー体の強度が下がる。しかし、窓部を閉鎖部材で閉鎖することによってカバー体の強度を上げることができる。
【００１１】
またこの発明の態様として、前記被挿着部材より剛性が高い素材を前記挿着部と略同一の形状に形成し、前記被挿着部材とともに前記挿着部へ挿着される挿着補助部材を備えることができる。  
この発明により、例えば被挿着部材を紙で形成して、挿着補助部材を合成樹脂シートで形成し、被挿着部材を挿着補助部材に巻き付けて挿着部に挿着した場合、被挿着部材は挿着補助部材によって折り曲がらず容易に挿着でき、挿着作業中及び使用中に挿着部から被挿着部材がずれることを防ぐことができる。
【００１２】
またこの発明の態様として、前記被挿着部材の挿着を許容する前記挿着部の挿入口に、前記被挿着部材の挿着状態を保持する保持手段を備えることができる。  
この発明により、被挿着部材を挿着部に確実に保持することができる。
【発明の効果】
【００１３】
この発明によれば、被挿着部材を差し替えるだけでシートカバー使用者の好みの外観を得るとともに、挿着部に被挿着部材を確実に保持するシートカバーを提供することができる。
【図面の簡単な説明】
【００１４】
【図１】シートカバーを背もたれ部に装着した状態の斜視図。
【図２】シートカバーの説明図。
【図３】シートカバーを内側から見た窓部の斜視断面図。
【図４】被挿着部材を挿着部に挿着する様子を説明する斜視断面図。
【図５】シートカバーを座席シートに装着する様子を説明する斜視図。
【図６】被挿着部材を差し替える様子を説明する斜視断面図。
【図７】蓋部を備えたシートカバーの斜視断面図。
【図８】フィルムを備えていないシートカバーを説明する説明図。
【図９】窓部を背面側に複数備えたシートカバーの背面図。
【発明を実施するための形態】
【００１５】
この発明の一実施形態を以下図面と共に説明する。  
図２（ａ）はカバー体１０の斜視図を示し、図２（ｂ）は窓部１１の斜視断面図を示し、図２（ｃ）は、被挿着部材３０を示し、図８（ａ）はフィルム１２を備えていないシートカバー１の斜視断面図を示し、図８（ｂ）は図８（ａ）で使用する表面に凹凸を形成した被挿着部材３２の正面図を示している。
【００１６】
まず、シートカバー１の構成について説明する。  
シートカバー１は、図１に示すように、自動車の座席シート２０の背もたれ部２１（図５参照）を覆うようなカバー体１０と、被挿着部材３０と、樹脂シート４０とで構成している。
【００１７】
カバー体１０は、合成皮革とウレタンシートを張り合わせたカバー材を所定の形状に裁断して、図２（ａ）に示すように、カバー材を合成皮革が外側になるように下面全体が開口した倒立の袋状に縫製し、背もたれ部２１と略一致するように形成している。
【００１８】
このように形成したカバー体１０は、シートカバー１を座席シート２０に装着した状態において、正面から見て背もたれ部２１の上下方向における中間位置の幅方向にカバー材の一部を開口する略横長台形の窓部１１を備えている。
【００１９】
窓部１１は、図２（ａ）及び（ｂ）に示すように、透明で軟質の合成樹脂シートで形成したフィルム１２で閉鎖するように、窓部１１の全周縁とフィルム１２の全周縁とが縫い付けられている。フィルム１２の内側には、窓部１１と略同一形状でカバー体１０と同じカバー材で形成した挿着部１３が備えられている。
【００２０】
挿着部１３は、図３に示すように、合成皮革が外側になるように上端以外の３辺を、窓部１１及びフィルム１２と縫い付けられており、挿入口１４と挿着空間１５とを有する。縫い付け箇所は、図３中の仮想線であらわしている。
【００２１】
挿入口１４は、挿着部１３の上端で開口する部分で、被挿着部材３０の挿通を許容する。挿着空間１５は、挿着部１３によって縫い付け箇所の内側にできた空間で、被挿着部材３０の挿着を許容する。そしてカバー体１０には、挿入口１４から挿通された被挿着部材３０が挿着空間１５に挿着状態を保持できるように挿入口１４にスライドファスナ１６を備えている。
【００２２】
被挿着部材３０は、図２（ｃ）に示すように、窓部１１と略同一形状の紙製で、表面に適宜の模様が描かれている。樹脂シート４０は、図２（ｄ）に示すように、挿着部１３と略同一形状で、被挿着部材３０よりも剛性の高い軟質の合成樹脂製である。
【００２３】
被挿着部材３０を挿着部１３に挿着したシートカバー１は、窓部１１の位置にフィルム１２、被挿着部材３０、樹脂シート４０、及び挿着部１３を外側からこの順に備えている。
【００２４】
続いて、上述のシートカバー１の使用方法と効果について説明する。  
まず、挿着空間１５に被挿着部材３０とともに樹脂シート４０を挿着する。挿着方法は、被挿着部材３０を、カバー体１０の開口する下面からカバー体１０の内側に入れ、図４に示すように、挿入口１４を通して挿着空間１５に挿着する。挿着の際、被挿着部材３０は、両面テープや接着剤などによる固定はしない。そして、スライドファスナ１６を閉じる。
【００２５】
次に、シートカバー１を座席シート２０の背もたれ部２１に装着する。装着方法は、図５に示すように、シートカバー１を、座席シート２０からヘッドレスト２２（図１参照）を外した状態の背もたれ部２１の上方から背もたれ部２１に被せるように装着して、ヘッドレスト２２を元の位置に戻す。
【００２６】
被挿着部材３０を差し替える方法は、背もたれ部２１からシートカバー１を外して、図６に示すように、挿着部１３から被挿着部材３０を取り出し、別の被挿着部材３１を挿着部１３に挿着する。そして、再度シートカバー１を背もたれ部２１に装着する。
【００２７】
挿着部１３に被挿着部材３０を挿着したシートカバー１は、被挿着部材３０によって、シートカバー１の使用者の好みのデザインを得ることができる。被挿着部材３０は、挿着部１３に挿着する際、両面テープや接着剤などを使用しないため、異なったデザインの被挿着部材３１と容易に差し替えることができる。つまり、シートカバー１は、被挿着部材３０と被挿着部材３１とを差し替えるだけで、カバー体１０を替えることなく異なったデザインを得ることができる。
【００２８】
カバー体１０は、窓部１１の全周縁とフィルム１２の全周縁とを縫い付けて閉鎖したことによって、強度を上げることができるとともに、座席シート２０に座る際に誤って窓部１１に指などが入ることがない。つまり、カバー体１０は、窓部１１によって補強されるとともに、破損を防止することができる。
【００２９】
さらに、シートカバー１は、座席シート２１の座り心地を良好なものにするため、背もたれ部２１から動かないようにやや張り気味に背もたれ部２１に装着する。シートカバー１を背もたれ部２１に装着する際に、窓部１１をフィルム１２で閉鎖することで、窓部１１が変形することを防止することができる。
【００３０】
また、カバー体１０は、挿着部１３の上方のみが開口するように挿着部１３の上端にスライドファスナ１６を備えるとともに、上端以外の３辺と窓部１１の縁とを縫い付けたことによって、被挿着部材３０を挿着空間１５に確実に保持することができる。
【００３１】
本実施形態のシートカバー１においては、たとえ被挿着部材３０及び樹脂シート４０を挿着部１３に挿着していなくても、挿着部１３をカバー体１０と同じカバー材で形成し、合成皮革が外側になるようにカバー体１０と縫い付けたため、シートカバー１の外観を損ねることがない。
【００３２】
シートカバー１に樹脂シート４０を備えて、被挿着部材３０とともに挿着部１３に挿着する挿着作業性は、紙製の被挿着部材３０のみを挿着部１３に挿着するよりも良くなる。つまり、被挿着部材３０よりも剛性のある樹脂シート４０が挿着の際のガイドの役割を持つことになる。さらに、樹脂シート４０は、被挿着部材３０とともに挿着部１３に挿着するため、挿着する際に被挿着部材３０が折れ曲がったり、破損したりすることを防ぐことができる。
【００３３】
挿入口１４にスライドファスナ１６を備え、樹脂シート４０を挿着部１３と略同一の形状に形成したため、シートカバー１の使用中に挿着空間１５内で樹脂シート４０はずれることはない。被挿着部材３０のみを挿着部１３に挿着すると剛性が低いため挿着空間１５内でずれるおそれがあるが、挿着空間１５内でずれることがない樹脂シート４０とともに挿着部１３に挿着する被挿着部材３０もまた挿着空間１５内でずれにくくなり、シートカバー１の良い見栄えを保持することができる。
【００３４】
つまり、被挿着部材３０よりも剛性の高い樹脂シート４０は、被挿着部材３０とともに挿着部１３に挿着する作業の補助と、シートカバー１の使用中におけるシートカバー１の良い見栄えを保持することができる。
【００３５】
この発明の構成と、上述の実施形態との対応において、
この発明の閉鎖部材は、実施形態のフィルム１２に対応し、
挿着補助部材は、樹脂シート４０に対応するが、
この発明は、上述の実施形態の構成のみに限定されるものではなく、多くの実施の形態を得ることができる。
【００３６】
例えば、本実施形態では、被挿着部材３０を窓部１１と略同一の形状に形成して、樹脂シート４０とともに挿着部１３に挿着したが、被挿着部材の大きさを樹脂シート４０よりも少し大きくして、樹脂シート４０に巻き付けた状態で挿着部１３に挿着してもよい。
【００３７】
このように、樹脂シート４０に被挿着部材３０を巻き付けて挿着部１３に挿着することで、被挿着部材３０が折れ曲がることを積極的に防ぐことができる。さらに、樹脂シート４０を挿着部１３と略同一の形状に形成したため、巻き付けた被挿着部材３０と窓部１１との間に隙間が見えることなく、シートカバー１の良い外観を保持することができる。
【００３８】
カバー体１０は、図７に示すように、スライドファスナ１６の代用として、窓部１１の上端の縁から挿入口１４を覆うようにカバー体１０の内側に向かってカバー体１０を延ばした蓋部１７を備えることができる。つまり、カバー体１０は、開口する挿着部１３の上端に蓋部１７を備えることができる。
【００３９】
蓋部１７は、窓部１１から延設したカバー体１０の一部で形成しているが、挿入口１４を覆って蓋としての機能を持つことができればカバー体１０と別体で構成してもよいし、面ファスナなどで代用してもよい。
【００４０】
このように、挿着部１３の上端に蓋部１７を備えることで、被挿着部材３０は、本実施形態と同様に、確実に挿着部１３に保持される。カバー体１０は、蓋部１７をカバー体１０の一部で構成することで、部品点数を増やすことなく蓋部１７を備えることができる。
【００４１】
被挿着部材は、窓部１１と略同一形状の紙製で構成した図２（ｃ）に示した被挿着部材３０や図６に示した被挿着部材３１に限ることはなく、適宜の形状あるいは基材で構成してもよいし、表面に適宜の模様を描く、文字を書く、あるいは凹凸を形成してもよい。
【００４２】
例えば、被挿着部材の基材を布にしたり、形状をハート型や星型などにしたり、表面を凹凸やフェルト調などにすることで、基材や形状の組み合わせが増え、シートカバー１の外観のバリエーションを増やすことができる。
【００４３】
もちろん、シートカバー１は、被挿着部材とともに窓部１１の形状を変えてもよいし、ひとつの窓部１１に対してひとつの挿着部１３を備えるだけに限らず、ひとつの窓部１１対して複数の挿着部１３や複数の窓部１１に対してひとつの挿着部１３を備えてもよい。
【００４４】
カバー体１０は、図８（ａ）に示すように、窓部１１の縁より一回り面内外側でカバー体１０と挿着部１３とを縫い付けて、縫い付け箇所から窓部１１の縁までを、カバー体１０と挿着部１３とで被挿着部材３２を保持する係止部１８とすることができる。
【００４５】
このように、窓部１１を備えたカバー体１０と挿着部１３のみで被挿着部材３２を挿着空間１５に保持することができるため、図８（ｂ）に示すように、表面に凹凸を形成した被挿着部材３２の外観のみならず、窓部１１から被挿着部材３２に直接触れることで質感も楽しむことができる。
【００４６】
窓部１１は、カバー体１０の正面側以外に、図９に示すように、カバー体１０の背面側や、カバー体１０のあらゆる個所へ備えることができるとともに、複数備えることができる。もちろん、このような場合であっても被挿着部材には両面テープや接着剤などを使用しないため、被挿着部材の差し替えを容易に行うことができる。
【００４７】
このように、カバー体１０の背面側に窓部１１を備え、広告などを記載した被挿着部材３３や被挿着部材３４を窓部１１に挿着することで、シートカバー１の使用者は、後部座席に座る人に対して広告することができる。そして、図示するように被挿着部材３３や被挿着部材３４を、他の広告を掲載した被挿着部材３５と差し替えることができる。
【００４８】
本実施形態の窓部１１は、略横長台形としたが、それだけに限ることなく適宜の形状で形成してもよい。挿着部１３は、カバー体１０と同じカバー材で形成したが、それだけに限ることなくカバー体１０と異なる適宜の素材で形成してもよい。挿入口１４は、上端のみが開口するように形成したが、被挿着部材３０を保持できれば、挿着部１３の上端のみならず、下端や側端に形成してもよい。
【００４９】
このように本実施形態におけるシートカバー１は、各部の様々な構成を組み合わせることで外観のバリエーションを増やすことができる。そして、カバー体１０を替えることなく被挿着部材を差し替えることで好みの外観を得ることができ、確実に挿着部１３に被挿着部材を保持することができる。
【００５０】
また、本実施形態では、背もたれ部２１に装着するシートカバー１としたが、それだけに限らず、座席シート２０の座る部分であるクッション部に装着するような構成とすることができる。
【符号の説明】
【００５１】
１…シートカバー
１０…カバー体
１１…窓部
１２…フィルム
１３…挿着部
１４…挿入口
１５…挿着空間
１６…スライドファスナ
１７…蓋部
１８…係止部
２０…座席シート
２１…背もたれ部
２２…ヘッドレスト
３０，３１，３２，３３，３４，３５…被挿着部材
４０…樹脂シート
【図１】
2014223865.tif 000003
【図２】
2014223865.tif 000004
【図３】
2014223865.tif 000005
【図４】
2014223865.tif 000006
【図５】
2014223865.tif 000007
【図６】
2014223865.tif 000008
【図７】
2014223865.tif 000009
【図８】
2014223865.tif 000010
【図９】
2014223865.tif 000011